(57)【特許請求の範囲】
【請求項１】
放射性物質が表層土に含まれた汚染土壌を除染処理する汚染土壌の除染処理方法であって、
放射性物質が含まれた前記表層土を除去して上土壌面を露出させ、
前記上土壌面の上層土を除去して下土壌面を露出させ、
放射性物質を吸着する吸着成分物質を有する吸着成分物質材を、前記下土壌面に敷設し、
前記上層土は、上層側の第１上層土及び下層側の第２上層土とからなり、
前記上土壌面の上層土を除去して露出する下土壌面は、
前記上土壌面の第１上層土を除去した後に第１下土壌面を露出させ、前記第１下土壌面の第２上層土を除去した後に露出する第２下土壌面であり、
前記第２下土壌面に前記吸着成分物質材を敷設し、
吸着成分物質材の上に前記表層土を埋め戻し、
埋め戻された前記表層土の上に前記第１上層土を埋め戻すと共に、
埋め戻された前記第１上層土の上に前記第２上層土を埋め戻す
ことを特徴とする汚染土壌の除染処理方法。
【請求項２】
請求項１に記載の汚染土壌の除染処理方法において、
吸着成分物質材の上に前記表層土を埋め戻した後、更に、吸着成分物質材を敷設して当該吸着成分物質材の上に前記第１上層土を埋め戻す
ことを特徴とする汚染土壌の除染処理方法。
【請求項３】
請求項１もしくは請求項２に記載の汚染土壌の除染処理方法において、
前記吸着成分物質材は、
シート状の担体に、放射性物質を吸着する吸着成分物質が物理的に固定された吸着成分物質シート材である
ことを特徴とする汚染土壌の除染処理方法。
【請求項４】
請求項３に記載の汚染土壌の除染処理方法において、
前記吸着成分物質シート材の前記吸着成分物質は、石炭灰を由来としたゼオライトであり、
前記吸着成分物質シート材は、バインダーで前記ゼオライトが前記担体に接着固定されている
ことを特徴とする汚染土壌の除染処理方法。
【発明の詳細な説明】
【技術分野】
【０００１】
本発明は、放射性物質で汚染された土壌の除染処理を行う汚染土壌の除染処理方法に関する。
【背景技術】
【０００２】
化学物質で汚染された土壌を処理する場合、汚染された土壌を掘削して産廃処分したり、生石灰や微生物を用いて浄化したりすることが行われている。また、汚染された土壌を掘削し、汚染された土壌をシート状の化学物質吸着材で挟み込み、その上に汚染されていない土で覆うことも提案されている（例えば、特許文献１参照）。
【０００３】
しかし、特許文献１で開示された技術は、汚染された土壌の浄化を想定している技術であるため、放射性物質等、特定の不純物で汚染された土壌の処理を行うには、根本的な解決ができないのが現状である。
【先行技術文献】
【特許文献】
【０００４】
【特許文献１】特開２０１０−２５３４２０号公報
【発明の概要】
【発明が解決しようとする課題】
【０００５】
本発明は上記状況に鑑みてなされたもので、特定の汚染物質である放射性物質を吸着して放射性物質で汚染された土壌の除染処理を行うことができる汚染土壌の除染処理方法を提供することを目的とする。
【課題を解決するための手段】
【０００６】
上記目的を達成するための請求項１に係る本発明の汚染土壌の除染処理方法は、放射性物質が表層土に含まれた汚染土壌を除染処理する汚染土壌の除染処理方法であって、放射性物質が含まれた前記表層土を除去して上土壌面を露出させ、前記上土壌面の上層土を除去して下土壌面を露出させ、放射性物質を吸着する吸着成分物質を有する吸着成分物質材を、前記下土壌面に敷設し、前記上層土は、上層側の第１上層土及び下層側の第２上層土とからなり、前記上土壌面の上層土を除去して露出する下土壌面は、前記上土壌面の第１上層土を除去した後に第１下土壌面を露出させ、前記第１下土壌面の第２上層土を除去した後に露出する第２下土壌面であり、前記第２下土壌面に前記吸着成分物質材を敷設し、吸着成分物質材の上に前記表層土を埋め戻し、埋め戻された前記表層土の上に前記第１上層土を埋め戻すと共に、埋め戻された前記第１上層土の上に前記第２上層土を埋め戻すことを特徴とする。
【０００７】
請求項１に係る本発明では、放射性物質を吸着する吸着成分物質を有する吸着成分物質材を下土壌面に敷設し、表層土を埋め戻すと共に、その上に上層土を埋め戻すので、上層土の下で吸着成分物質材に放射性物質を吸着することができる。このため、特定の汚染物質である放射性物質を吸着して放射性物質で汚染された土壌の除染処理を行うことが可能になる。また、土壌に雨等が浸み込んでも放射性物質が吸着成分物質材に吸着されることで、放射性物質が地下水に侵入することがない。
そして、吸着成分物質を有する吸着成分物質材の上に、表層土、上層側に存在していた第１上層土、下層側に存在していた第２上層土の順に土が埋め戻されるので、放射性物質が含まれた表層土を複数の層の内の下層に埋め戻して吸着成分物質材で放射性物質を吸着することができる。
【００１０】
また、請求項２に係る本発明の汚染土壌の除染処理方法は、請求項１に記載の汚染土壌の除染処理方法において、吸着成分物質材の上に前記表層土を埋め戻した後、更に、吸着成分物質材を敷設して当該吸着成分物質材の上に前記第１上層土を埋め戻すことを特徴とする。
【００１１】
請求項２に係る本発明では、表層土を吸着成分物質材で挟むことができる。
【００１２】
また、請求項３に係る本発明の汚染土壌の除染処理方法は、請求項１もしくは請求項２に記載の汚染土壌の除染処理方法において、前記吸着成分物質材は、シート状の担体に、放射性物質を吸着する吸着成分物質が物理的に固定された吸着成分物質シート材であることを特徴とする。
【００１３】
請求項３に係る本発明では、吸着成分物質シート材を用いることで、任意の面積のシートで吸着成分物質材を配置することができ、また、シート材であるので、回収が必要になった際でも容易に回収することができる。
【００１４】
また、請求項４に係る本発明の汚染土壌の除染処理方法は、請求項３に記載の汚染土壌の除染処理方法において、前記吸着成分物質シート材の前記吸着成分物質は、石炭灰を由来としたゼオライトであり、前記吸着成分物質シート材は、バインダーで前記ゼオライトが前記担体に接着固定されていることを特徴とする。
【００１５】
請求項４に係る本発明では、石炭灰を由来とした人工ゼオライトを用いて放射性物質（例えば、放射性セシウム）を吸着して除染することができる。
【発明の効果】
【００１６】
本発明の汚染土壌の除染処理方法は、特定の汚染物質である放射性物質を吸着して放射性物質で汚染された土壌の除染処理を行うことが可能になる。
【図面の簡単な説明】
【００１７】
【図１】本発明の一実施例に係る汚染土壌の除染処理方法に用いる汚染物吸着シートの概念図である。
【図２】汚染物吸着シートの作成例を説明する工程図である。
【図３】ゼオライトの汚染物質吸着性能の一例を説明するグラフである。
【図４】本発明の一実施例に係る汚染土壌の除染処理方法の工程説明図である。
【図５】本発明の一実施例に係る汚染土壌の除染処理方法の工程説明図である。
【発明を実施するための形態】
【００１８】
本実施例の汚染土壌の除染処理方法に用いる吸着成分物質材としての吸着成分物質シート材は、担体としてシート状の布を適用し、吸着成分物質として、石炭灰を由来とするゼオライト（人工ゼオライト）を布に接着したものである。そして、汚染土壌の除染処理方法は、吸着成分物質シート材のゼオライトにより、特定の汚染物質として放射性物質（放射性セシウム等）に汚染された汚染土壌の放射性セシウム等を除染処理するものである。
【００１９】
図１から図３に基づいて本発明の除染処理方法に使用する汚染物吸着シートを具体的に説明する。
【００２０】
図１には本発明の一実施例に係る汚染物吸着シートの概念、図２には固体の吸着成分物質が適用される汚染物吸着シートの作成例を説明する工程、図３にはゼオライトの汚染物質吸着性能の一例を説明するグラフを示してある。
【００２１】
図１に示すように、シート状の担体である布シート１の表面には、固体状態の吸着成分物質２が物理的に固定され、汚染物吸着シート３が構成されている。吸着成分物質２は、例えば、汚染物質である放射性セシウムを吸着する人工ゼオライトが用いられる。固体状態の吸着成分物質２としては、活性アルミナ、バーミキュライト、石炭灰、チェストナット、ハイドロタルサイト、天然ゼオライト等が適用される。吸着成分物質２の種類により、放射性コバルト、放射性ストロンチウム、放射性ヨウ素等が汚染物質として吸着される。
【００２２】
図２に基づいて汚染物吸着シート３の作成手順を説明する。
【００２３】
図２（ａ）に示すように、布シート１の表面に接着剤５を塗布し、図２（ｂ）に示すように、接着剤５が塗布された面に必要な量の固体粒・粉状の吸着成分物質２を振り掛ける、振り撒く、吹き付ける等し、吸着成分物質２を接着剤５により布シート１の面に接着させる（物理的に固定させる）。これにより、図２（ｃ）に示すように、表面が吸着成分物質２で覆われた布シート１が作成され、汚染物吸着シート３とされる。
【００２４】
図３に基づいてゼオライト（吸着成分物質２）の吸着性能の試験結果を説明する。
【００２５】
図３に示した結果は、２０ｍＬの試験水（濃度５０ｐｐｍのＣｓ、Ｓｒ、Ｃｏ、Ｉ）の中に吸着成分物質２（ゼオライト）を入れて攪拌し、一定時間経過した後に試験水の一部を取出して、Ｃｓ（○）、Ｓｒ（●）、Ｃｏ（△）、Ｉ（▲）の濃度を測定した結果である。図に示すように、ゼオライトを用いた吸着成分物質２は、主に、汚染物質としてのＣｓ（○）及びＩ（▲）が吸着されていることが判る。つまり、吸着成分物質２（人工ゼオライト）を固定した汚染物吸着シート３を用いることで、特定の汚染物質であるＣｓを主に吸着できることが判る。
【００２６】
図４、図５に基づいて汚染物吸着シート３を用いて実施する本発明の汚染土壌の除染処理方法の実施例を説明する。図４には汚染物吸着シート３を敷設するまでの掘削・除去の工程、図５には汚染物吸着シート３の上に掘削した土を埋め戻す工程を示してある。
【００２７】
図４（ａ）（ｂ）に示すように、汚染物質（放射性物質等）を含む汚染土の表層土３０を除去し、上層土３１の上土壌面３２を露出させる。上層土３１は上層側の第１上層土３３及び下層側の第２上層土３５とからなっている。図４（ｃ）に示すように、上層土３１の第１上層土３３を掘削して除去し、第２上層土３５の第１下土壌面３４を露出させる。図４（ｄ）に示すように、第２上層土３５を掘削して除去し、下土壌面としての第２下土壌面３６を露出させ、第２下土壌面３６に汚染物吸着シート３を敷設する。
【００２８】
図５（ａ）に示すように、汚染物吸着シート３の上に汚染土の表層土３０を埋め戻し、更に、表層土３０の上に汚染物吸着シート３を敷設する。図５（ｂ）に示すように、上層土３１の上層側に存在した第１上層土３３を汚染物吸着シート３の上に埋め戻し、上層土３１の下層側に存在した第２上層土３５を第１上層土３３の上に埋め戻す。即ち、上層土３１の下層側に存在した第２上層土３５が表層の土となるように埋め戻しを行う。
【００２９】
従って、汚染物質（放射性物質等）を含む汚染土の表層土３０が、汚染物吸着シート３で挟まれた状態で、第２上層土３５及び第１上層土３３からなる上層土３１の下層に埋め戻される。このため、上層土３１の下側で表層土３０の放射性物質等が汚染物吸着シート３に吸着されて除染が行われ、表層土３０を廃棄物として別の場所に運ぶ等の処分を行うことなく汚染土壌を除染処理することが可能になり、汚染土壌の除染処理における廃棄物処理の問題を解決することができる。
【００３０】
そして、汚染物質（放射性物質等）が含まれる汚染土を地表面から深い位置に存在させるため、地表面の放射線量を大幅に減らすことができる。また、放射性物質の存在が地表面から深い位置となるため、地表面で農作物等の作物を栽培しても、放射線の影響が作物に及ぶことがなく、作物を安全に栽培することが可能になる。
【００３１】
また、雨等が上層土３１に浸み込んでも、汚染物吸着シート３により、放射性物質等が地下水に侵入することが阻止される。また、汚染物吸着シート３を回収することで放射性物質等を処分することができるので、放射性物質等を別途処理する必要が生じた場であっても汚染物吸着シート３を回収することで、安全で且つ容易に対応することが可能になる。
【００３２】
上述した実施例では、吸着成分物質材として汚染物吸着シート３を適用した例を挙げて説明したが、第２下土壌面３６と汚染土の表層土３０との間（及び汚染土の表層土３０と第１上層土３３との間）の必要な箇所に、吸着成分物質２（人工ゼオライト）を直接敷設することも可能である。
【００３３】
上述した汚染土壌の除染処理方法は、表層土３０を廃棄物として別の場所に運ぶ等の処分を行うことなく汚染土壌を除染処理することが可能になり、特定の汚染物質である放射性物質を吸着して放射性物質で汚染された土壌の除染処理を行うことが可能になる。
【産業上の利用可能性】
【００３４】
本発明は、放射性物質で汚染された土壌の除染処理を行う汚染土壌の除染処理方法の産業分野で利用することができる。
【符号の説明】
【００３５】
１  布シート
２  吸着成分物質
３  汚染物吸着シート
３０  表層土
３１  上層土
３２  上土壌面
３３  第１上層土
３４  第１下土壌面
３５  第２上層土
３６  第２下土壌面
【図１】
0006008522.tif 000002
【図２】
0006008522.tif 000003
【図３】
0006008522.tif 000004
【図４】
0006008522.tif 000005
【図５】
0006008522.tif 000006